(57)【要約】【課題】   第１コネクタ４７の搭載面積を小さくして、携帯電話２３の小型化を促進すること。【解決手段】    多数本の第１接続パターン４５の基端部４５ａが対応関係にある極細同軸ケーブル３９の一端部にそれぞれ電気的に接続するように構成され、多数本の第１接続パターン４５における先端部４５ｂのピッチが基端部４５ａのピッチよりも小さくなるように構成された第１フレキシブル回路基板４３と；  第１フレキシブル回路基板４３に設けられ、多数本の第１パターン側端子４９が対応関係にある第１接続パターン４５の先端部４５ｂに電気的に接続するように構成されたフレキシブル回路基板専用の第１コネクタ４７と；具備したこと。【選択図】      図１
2005267968.tif 000002
【特許請求の範囲】
【請求項１】
電気機器における第１電子部品と第２電子部品を電気的に接続するために用いられる極細同軸ケーブルアセンブリにおいて、
集合した多数本の極細同軸ケーブルと；
前記極細同軸ケーブルと同数の第１接続パターンを有し、多数本の前記第１接続パターンの基端部が対応関係にある前記極細同軸ケーブルの一端部にそれぞれ電気的に接続するように構成され、多数本の前記第１接続パターンにおける先端部のピッチが基端部のピッチよりも小さくなるように構成された第１フレキシブル回路基板と；
前記第１フレキシブル回路基板に設けられ、前記極細同軸ケーブルと同数の第１接続子を有し、多数本の前記第１接続子が対応関係にある前記第１接続パターンの先端部に電気的に接続するように構成され、前記第１電子部品における第１相手コネクタに嵌合可能な第１嵌合部材と；
前記極細同軸ケーブルと同数の第２接続パターンを有し、多数本の前記第２接続パターンの基端部が対応関係にある前記極細同軸ケーブルの他端部にそれぞれ電気的に接続するように構成され、多数本の前記第２接続パターンにおける先端部のピッチが基端部のピッチよりも小さくなるように構成された第２フレキシブル回路基板と；
前記第２フレキシブル回路基板に設けられ、前記極細同軸ケーブルと同数の第２接続子を有し、多数本の前記第２接続子が対応関係にある前記第２接続パターンの先端部に電気的に接続するように構成され、前記第２電子部品における第２相手コネクタに嵌合可能な第２嵌合部材と；  を具備してなることを特徴とする極細同軸ケーブルアセンブリ。
【請求項２】
電気機器における第１電子部品と第２電子部品を電気的に接続するために用いられる極細同軸ケーブルアセンブリにおいて、
集合した多数本の極細同軸ケーブルと；
前記極細同軸ケーブルと同数の第１接続パターンを有し、多数本の前記第１接続パターンの基端部が対応関係にある前記極細同軸ケーブルの一端部にそれぞれ電気的に接続するように構成され、多数本の前記第１接続パターンの基端部が複数列に並ぶように構成された第１フレキシブル回路基板と；
前記第１フレキシブル回路基板に設けられ、前記極細同軸ケーブルと同数の第１接続子を有し、多数本の前記第１接続子が対応関係にある前記第１接続パターンの先端部に電気的に接続するように構成され、前記第１電子部品における第１相手コネクタに嵌合可能な第１嵌合部材と；
前記極細同軸ケーブルと同数の第２接続パターンを有し、多数本の前記第２接続パターンの基端部が対応関係にある前記極細同軸ケーブルの他端部にそれぞれ電気的に接続するように構成され、多数本の前記第２接続パターンの基端部が複数列に並ぶように構成された第２フレキシブル回路基板と；
前記第２フレキシブル回路基板に設けられ、前記極細同軸ケーブルと同数の第２接続子を有し、多数本の前記第２接続子が対応関係にある前記第２接続パターンの先端部に電気的に接続するように構成され、前記第２電子部品における第２相手コネクタに嵌合可能な第２嵌合部材と；  を具備してなることを特徴とする極細同軸ケーブルアセンブリ。
【請求項３】
前記第１フレキシブル回路基板の両面側に、前記極細同軸ケーブルと同数の前記第１接続パターンを有してあって、
前記第２フレキシブル回路基板の両面側に、前記極細同軸ケーブルと同数の前記第２接続パターンを有していることを特徴とする請求項１又は請求項２に記載の極細同軸ケーブルアセンブリ。
【請求項４】
前記第１嵌合部材及び前記第２嵌合部材は、フレキシブル回路基板専用のコネクタであることを特徴とする請求項１から請求項３のうちのいずれかの請求項に記載の極細同軸ケーブルアセンブリ。
【請求項５】
多数本の極細同軸ケーブルを集合してなる極細同軸ケーブルアセンブリの端末構造において、
前記極細同軸ケーブルと同数の接続パターンを有し、多数本の前記接続パターンの基端部が対応関係にある前記極細同軸ケーブルの端部にそれぞれ電気的に接続するように構成され、多数本の前記接続パターンにおける先端部のピッチが基端部のピッチよりも小さくなるように構成されたフレキシブル回路基板と；
前記フレキシブル回路基板に設けられ、前記極細同軸ケーブルと同数の接続子を有し、多数本の前記接続子が対応関係にある前記接続パターンに電気的に接続するように構成され、電子部品における相手コネクタに嵌合可能な嵌合部材と；  を具備してなることを特徴とする極細同軸ケーブルアセンブリの端末構造。
【請求項６】
多数本の極細同軸ケーブルを集合してなる極細同軸ケーブルアセンブリの端末構造において、
前記極細同軸ケーブルと同数の接続パターンを有し、多数本の前記接続パターンの基端部が対応関係にある前記極細同軸ケーブルの端部にそれぞれ電気的に接続するように構成され、多数本の前記接続パターンの基端部が複数列に並ぶように構成されたフレキシブル回路基板と；
前記フレキシブル回路基板に設けられ、前記極細同軸ケーブルと同数の接続子を有し、多数本の前記接続子が対応関係にある前記接続パターンの先端部に電気的に接続するように構成され、電子部品における相手コネクタに嵌合可能な嵌合部材と；  を具備してなることを特徴とする極細同軸ケーブルアセンブリの端末構造。
【請求項７】
前記フレキシブル回路基板の両面側に、前記極細同軸ケーブルと同数の前記接続パターンを有していることを特徴とする請求項５又は請求項６に記載の極細同軸ケーブルアセンブリの端末構造。
【請求項８】
前記嵌合部材は、フレキシブル回路基板専用のコネクタであることを特徴とする請求項５から請求項７のうちのいずれかの請求項に記載の極細同軸ケーブルアセンブリの端末構造。
【発明の詳細な説明】
【技術分野】
【０００１】
本発明は、携帯電話、デジタルカメラ、ノートパソコン等の電気機器に配線材として用いられる極細同軸ケーブルアセンブリ、及び極細同軸ケーブルの端末構造に関する。
【背景技術】
【０００２】
近年、携帯電話、デジタルカメラ、ノートパソコン等の電気機器にあっては、前記電気機器の液晶表示部の解像度を高める等の理由により、ノイズの影響の少ない極細同軸ケーブルアセンブリが配線材として用いられるようになってきている。
【０００３】
次に、一般的な極細同軸ケーブルアセンブリについて図８及び図９を参照して説明する。ここで、図８は、一般的な極細同軸ケーブルを示す図であって、図９は、極細同軸ケーブルの断面図である。
【０００４】
図８に示すように、一般的な極細同軸ケーブルアセンブリ１は、携帯電話等の電気機器における第１電子部品（図示省略）と第２電子部品（図示省略）を電気的に接続するために用いられるものであって、集合した多数本の極細同軸ケーブル３を備えている。また、図９に示すように、極細同軸ケーブル３は、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている。ここで、極細同軸ケーブル３の外径は、０．３ｍｍ程度が主流になっているが、これよりも太径或いは細径のものも製作されている。
【０００５】
図８に示すように、多数本の極細同軸ケーブル３の一端部には、極細同軸ケーブル専用の第１コネクタ１３が連結されており、この第１コネクタ１３は、前記第１電子部品における第１相手コネクタ１５に嵌合可能である。また、多数本の極細同軸ケーブル３の他端部には、極細同軸ケーブル専用の第２コネクタ１７が連結されており、この第２コネクタ１７は、前記第２電子部品における第２相手コネクタ１９に嵌合可能である。ここで、第１コネクタ１３及び第２コネクタ１７における極細同軸ケーブル３の接続ピッチは、０．４ｍｍが主流になっている。
【０００６】
なお、本発明に関連する先行技術として特許文献１に示すものがある。
【特許文献１】特開２００３−１２３５５２号公報
【発明の開示】
【発明が解決しようとする課題】
【０００７】
ところで、前記電気機器の伝送容量の増加に伴って、極細同軸ケーブルアセンブリ１における極細同軸ケーブル３の本数を増える傾向にある。一方、極細同軸ケーブル３の外径を考慮すると、第１コネクタ１３及び第２コネクタ１７における接続ピッチも０．４ｍｍより小さくすることは、現状は極めて困難である。そのため、極細同軸ケーブルアセンブリ１における極細同軸ケーブル３の本数が増えると（例えば３０本を越えると）、第１コネクタ１３又は第２コネクタ１７の幅が拡大して、第１コネクタ１３又は第２コネクタ１７の搭載面積が大きくなって、前記電気機器の小型化の障害になるという問題がある。
【課題を解決するための手段】
【０００８】
請求項１に記載の発明にあっては、電気機器における第１電子部品と第２電子部品を電気的に接続するために用いられる極細同軸ケーブルアセンブリにおいて、
集合した多数本の極細同軸ケーブルと；
前記極細同軸ケーブルと同数の第１接続パターンを有し、多数本の前記第１接続パターンの基端部が対応関係にある前記極細同軸ケーブルの一端部にそれぞれ電気的に接続するように構成され、多数本の前記第１接続パターンにおける先端部のピッチが基端部のピッチよりも小さくなるように構成された第１フレキシブル回路基板と；
前記第１フレキシブル回路基板に設けられ、前記極細同軸ケーブルと同数の第１接続子を有し、多数本の前記第１接続子が対応関係にある前記第１接続パターンの先端部に電気的に接続するように構成され、前記第１電子部品における第１相手コネクタに嵌合可能な第１嵌合部材と；
前記極細同軸ケーブルと同数の第２接続パターンを有し、多数本の前記第２接続パターンの基端部が対応関係にある前記極細同軸ケーブルの他端部にそれぞれ電気的に接続するように構成され、多数本の前記第２接続パターンにおける先端部のピッチが基端部のピッチよりも小さくなるように構成された第２フレキシブル回路基板と；
前記第２フレキシブル回路基板に設けられ、前記極細同軸ケーブルと同数の第２接続子を有し、多数本の前記第２接続子が対応関係にある前記第２接続パターンの先端部に電気的に接続するように構成され、前記第２電子部品における第２相手コネクタに嵌合可能な第２嵌合部材と；  を具備してなることを特徴とする。
【０００９】
ここで、前記第１嵌合部材には、フレキシブル回路基板専用の第１コネクタの他に、前記第１フレキシブル回路基板の一部に形成された第１嵌合部が含まれる。同様に、前記第２嵌合部材には、フレキシブル回路基板専用の第２コネクタの他に、前記第２フレキシブル回路基板の一部に形成された第２嵌合部が含まれる。
【００１０】
請求項１に記載の発明特定事項によると、前記第１嵌合部材は、多数本の前記第１接続子が対応関係にある前記第１接続パターンの先端部に電気的に接続するように構成されてあって、前記第１フレキシブル回路基板は、多数本の前記第１接続パターンにおける先端部のピッチが基端部のピッチよりも小さくなるように構成されているため、前記極細同軸ケーブルアセンブリにおける前記極細同軸ケーブルの本数が増えても、前記第１嵌合部材における前記第１接続子のピッチ（接続ピッチ）を小さくして、前記第１嵌合部材の幅の拡大を十分に抑えることができる。
【００１１】
同様に、前記第２嵌合部材は、多数本の前記第２接続子が対応関係にある前記第２接続パターンの先端部に電気的に接続するように構成されてあって、前記第２フレキシブル回路基板は、多数本の前記第２接続パターンにおける先端部のピッチが基端部のピッチよりも小さくなるように構成されているため、前記極細同軸ケーブルアセンブリにおける前記極細同軸ケーブルの本数が増えても、前記第２嵌合部材における前記第２接続子のピッチ（接続ピッチ）を小さくして、前記第２嵌合部材の幅の拡大を十分に抑えることができる。
【００１２】
請求項２に記載の発明特定事項にあっては、電気機器における第１電子部品と第２電子部品を電気的に接続するために用いられる極細同軸ケーブルアセンブリにおいて、
集合した多数本の極細同軸ケーブルと；
前記極細同軸ケーブルと同数の第１接続パターンを有し、多数本の前記第１接続パターンの基端部が対応関係にある前記極細同軸ケーブルの一端部にそれぞれ電気的に接続するように構成され、多数本の前記第１接続パターンの基端部が複数列に並ぶように構成された第１フレキシブル回路基板と；
前記第１フレキシブル回路基板に設けられ、前記極細同軸ケーブルと同数の第１接続子を有し、多数本の前記第１接続子が対応関係にある前記第１接続パターンの先端部に電気的に接続するように構成され、前記第１電子部品における第１相手コネクタに嵌合可能な第１嵌合部材と；
前記極細同軸ケーブルと同数の第２接続パターンを有し、多数本の前記第２接続パターンの基端部が対応関係にある前記極細同軸ケーブルの他端部にそれぞれ電気的に接続するように構成され、多数本の前記第２接続パターンの基端部が複数列に並ぶように構成された第２フレキシブル回路基板と；
前記第２フレキシブル回路基板に設けられ、前記極細同軸ケーブルと同数の第２接続子を有し、多数本の前記第２接続子が対応関係にある前記第２接続パターンの先端部に電気的に接続するように構成され、前記第２電子部品における第２相手コネクタに嵌合可能な第２嵌合部材と；を具備してなることを特徴とする。
【００１３】
ここで、前記第１嵌合部材には、フレキシブル回路基板専用の第１コネクタの他に、前記第１フレキシブル回路基板の一部に形成された第１嵌合部が含まれる。同様に、前記第２嵌合部材には、フレキシブル回路基板専用の第２コネクタの他に、前記第２フレキシブル回路基板の一部に形成された第２嵌合部が含まれる。
【００１４】
請求項２に記載の発明特定事項によると、前記第１嵌合部材は、多数本の前記第１接続子が対応関係にある前記第１接続パターンの先端部に電気的に接続するように構成されてあって、前記第１フレキシブル回路基板は、多数本の前記第１接続パターンの基端部が複数列に並ぶように構成されているため、前記極細同軸ケーブルアセンブリにおける前記極細同軸ケーブルの本数が増えても、前記第１嵌合部材の幅の拡大を十分に抑えることができると共に、前記第１フレキシブル回路基板の幅を小さくすることができる。
【００１５】
同様に、前記第２嵌合部材は、多数本の前記第２接続子が対応関係にある前記第２接続パターンの先端部に電気的に接続するように構成されてあって、前記第２フレキシブル回路基板は、多数本の前記第２接続パターンの基端部が複数列に並ぶように構成されているため、前記極細同軸ケーブルアセンブリにおける前記極細同軸ケーブルの本数が増えても、前記第２嵌合部材の幅の拡大を十分に抑えることができると共に、前記第２フレキシブル回路基板の幅を小さくすることができる。
【００１６】
請求項３に記載の発明にあっては、請求項１又は請求項２に記載の発明特定事項の他に、前記第１フレキシブル回路基板の両面側に、前記極細同軸ケーブルと同数の前記第１接続パターンを有してあって、
前記第２フレキシブル回路基板の両面側に、前記極細同軸ケーブルと同数の前記第２接続パターンを有していることを特徴とする。
【００１７】
請求項３に記載の発明特定事項によると、請求項１又は請求項２に記載の発明特定事項によると、前記第１フレキシブル回路基板の両面側に、前記極細同軸ケーブルと同数の前記第１接続パターンを有してあって、前記第２フレキシブル回路基板の両面側に、前記極細同軸ケーブルと同数の前記第２接続パターンを有しているため、前記極細同軸ケーブルアセンブリにおける前記極細同軸ケーブルの本数が増えても、前記第１フレキシブル回路基板及び前記第２フレキシブル回路基板の幅をより小さくすることができる。
【００１８】
請求項４に記載の発明にあっては、請求項１から請求項３のうちのいずれかの請求項に記載の発明特定事項の他に、前記第１嵌合部材及び前記第２嵌合部材は、フレキシブル回路基板専用のコネクタであることを特徴とする。
【００１９】
請求項４に記載の発明特定事項によると、請求項１から請求項３のうちのいずれかの請求項に記載の発明特定事項による作用と同様の作用を奏する。
【００２０】
請求項５に記載の発明にあっては、多数本の極細同軸ケーブルを集合してなる極細同軸ケーブルアセンブリの端末構造において、
前記極細同軸ケーブルと同数の接続パターンを有し、多数本の前記接続パターンの基端部が対応関係にある前記極細同軸ケーブルの端部にそれぞれ電気的に接続するように構成され、多数本の前記接続パターンにおける先端部のピッチが基端部のピッチよりも小さくなるように構成されたフレキシブル回路基板と；
前記フレキシブル回路基板に設けられ、前記極細同軸ケーブルと同数の接続子を有し、多数本の前記接続子が対応関係にある前記接続パターンに電気的に接続するように構成され、電子部品における相手コネクタに嵌合可能な嵌合部材と；  を具備してなることを特徴とする。
【００２１】
ここで、前記嵌合部材には、フレキシブル回路基板専用のコネクタの他に、前記フレキシブル回路基板の一部に形成された嵌合部が含まれる。
【００２２】
請求項５に記載の発明特定事項によると、前記嵌合部材は、多数本の前記接続子が対応関係にある前記接続パターンの先端部に電気的に接続するように構成されてあって、前記フレキシブル回路基板は、多数本の前記接続パターンにおける先端部のピッチが基端部のピッチよりも小さくなるように構成されているため、前記極細同軸ケーブルアセンブリにおける前記極細同軸ケーブルの本数が増えても、前記嵌合部材における前記接続子のピッチ（接続ピッチ）を小さくして、前記嵌合部材の幅の拡大を十分に抑えることができる。
【００２３】
請求項６に記載の発明特定事項にあっては、多数本の極細同軸ケーブルを集合してなる極細同軸ケーブルアセンブリの端末構造において、
多数本の前記極細同軸ケーブルの端部に連結され、前記極細同軸ケーブルと同数の接続パターンを有し、多数本の前記接続パターンの基端部が対応関係にある前記極細同軸ケーブルの端部にそれぞれ電気的に接続するように構成され、多数本の前記接続パターンの基端部が複数列に並ぶように構成されたフレキシブル回路基板と；
前記フレキシブル回路基板に設けられ、前記極細同軸ケーブルと同数の接続子を有し、多数本の前記接続子が対応関係にある前記接続パターンの先端部に電気的に接続するように構成され、電子部品における相手コネクタに嵌合可能な嵌合部材と；  を具備してなることを特徴とする。
【００２４】
ここで、前記嵌合部材には、フレキシブル回路基板専用のコネクタの他に、前記フレキシブル回路基板の一部に形成された嵌合部が含まれる。
【００２５】
請求項６に記載の発明特定事項によると、前記第１嵌合部材は、多数本の前記接続子が対応関係にある前記接続パターンの先端部に電気的に接続するように構成されてあって、前記フレキシブル回路基板は、多数本の前記第１接続パターンの基端部が複数列に並ぶように構成されているため、前記極細同軸ケーブルアセンブリにおける前記極細同軸ケーブルの本数が増えても、前記嵌合部材の幅の拡大を十分に抑えることができると共に、前記フレキシブル回路基板の幅を小さくすることができる。
【００２６】
請求項７に記載の発明にあっては、請求項５又は請求項６に記載の発明特定事項の他に、前記フレキシブル回路基板の両面側に、前記極細同軸ケーブルと同数の前記接続パターンを有していることを特徴とする。
【００２７】
請求項７に記載の発明特定事項によると、請求項５又は請求項６に記載の発明特定事項によると、前記フレキシブル回路基板の両面側に、前記極細同軸ケーブルと同数の前記接続パターンを有しているため、前記極細同軸ケーブルアセンブリにおける前記極細同軸ケーブルの本数が増えても、前記フレキシブル回路基板の幅をより小さくすることができる。
【００２８】
請求項８に記載の発明にあっては、請求項５から請求項７のうちのいずれかの請求項に記載の発明特定事項の他に、前記嵌合部材は、フレキシブル回路基板専用のコネクタであることを特徴とする。
【００２９】
請求項８に記載の発明特定事項によると、請求項５から請求項７のうちのいずれかの請求項に記載の発明特定事項による作用と同様の作用を奏する。
【発明の効果】
【００３０】
請求項１に記載の発明によれば、前記極細同軸ケーブルアセンブリにおける前記極細同軸ケーブルの本数が増えても、前記嵌合部材及び前記第２嵌合部材における接続ピッチを小さくして、前記第１嵌合部材及び前記第２嵌合部材の幅の拡大を十分に抑えることができるため、前記第１嵌合部材及び前記第２嵌合部材の搭載面積を小さくして、前記電気機器の小型化を促進することができる。
【００３１】
請求項２に記載の発明によれば、前記極細同軸ケーブルアセンブリにおける前記極細同軸ケーブルの本数が増えても、前記第１嵌合部材及び前記第２嵌合部材の幅の拡大を十分に抑えることができるため、前記第１嵌合部材及び前記第２嵌合部材の搭載面積を小さくして、前記電気機器の小型化を促進することができる（第１の効果）。
【００３２】
また、前記極細同軸ケーブルアセンブリにおける前記極細同軸ケーブルの本数が増えても、前記第１フレキシブル回路基板及び前記第２フレキシブル回路基板の幅を小さくすることができるため、前記電気機器の狭いスペースを利用して、前記極細同軸ケーブルアセンブリを搭載することができる（第２の効果）。
【００３３】
請求項３に記載の発明によれば、請求項１又は請求項２に記載の発明の効果の他に、前記第１フレキシブル回路基板及び前記第２フレキシブル回路基板の幅をより小さくすることができるため、請求項２に記載の発明の前記第２の効果をより向上させることができる。
【００３４】
請求項４に記載の発明によれば、請求項１から請求項３のうちのいずれかの請求項に記載の発明の効果と同様の効果を奏する。
【００３５】
請求項５に記載の発明によれば、前記極細同軸ケーブルアセンブリにおける前記極細同軸ケーブルの本数が増えても、前記嵌合部材における接続ピッチを小さくして、前記嵌合部材の幅の拡大を十分に抑えることができるため、前記嵌合部材の搭載面積を小さくして、前記電気機器の小型化を促進することができる。
【００３６】
請求項６に記載の発明によれば、前記極細同軸ケーブルアセンブリにおける前記極細同軸ケーブルの本数が増えても、前記嵌合部材の幅の拡大を十分に抑えることができるため、前記嵌合部材の搭載面積を小さくして、前記電気機器の小型化を促進することができる（第１の効果）。
【００３７】
また、前記極細同軸ケーブルアセンブリにおける前記極細同軸ケーブルの本数が増えても、前記フレキシブル回路基板の幅を小さくすることができるため、前記電気機器の狭いスペースを利用して、前記極細同軸ケーブルアセンブリを搭載することができる（第２の効果）。
【００３８】
請求項７に記載の発明によれば、請求項５又は請求項６に記載の発明の効果の他に、前記フレキシブル回路基板の幅をより小さくすることができるため、請求項６に記載の発明の前記第２の効果をより向上させることができる。
【００３９】
請求項８に記載の発明によれば、請求項５から請求項７のうちのいずれかの請求項に記載の発明の効果と同様の効果を奏する。
【発明を実施するための最良の形態】
【００４０】
（第１の最良の形態）
第１の最良の形態について図１から図４を参照して説明する。
【００４１】
ここで、図１は、第１の最良の形態に係わる極細同軸ケーブルアセンブリを示す図であって、図２は、第１の最良の形態に係わる第１端末構造を示す図であって、図３は、第１の最良の形態に係わる第２端末構造を示す図であって、図４は、最良の形態に係わる携帯電話を示す斜視図である。
【００４２】
図１及び図４に示すように、第１の最良の形態に係わる極細同軸ケーブルアセンブリ２１は、携帯電話２３における第１電子部品としての第１基板２５と第２電子部品としての第２基板２７を電気的に接続するために用いられるケーブルアセンブリである。なお、極細同軸ケーブルアセンブリ２１の具体的な構成について説明する前に、携帯電話２３の構成について簡単に説明する。
【００４３】
携帯電話２３は、第１基板２５を内蔵した第１筐体２９と、第２基板２７を内蔵した第２筐体３１と、第１筐体２９と第２筐体３１を連結するヒンジ部３３とを具備しており、第２筐体３１は、ヒンジ部３３によって第１筐体２９に対して２つの回転軸心Ｓ１，Ｓ２を中心として回転可能である。また、第１基板２５は、第１相手コネクタ３５（図１参照）を備えており、第２基板２７は、第２相手コネクタ３７（図１参照）を備えている。なお、第２基板２７には、液晶表示部ＬＣＤが接続してある。
【００４４】
次に、第１の最良の形態に係わる極細同軸ケーブルアセンブリ２１の具体的な構成について説明する。
【００４５】
極細同軸ケーブルアセンブリ２１は、多数本の極細同軸ケーブル３９を集合してなり、極細同軸ケーブル３９は、前述の極細同軸ケーブル３（図９参照）と同様の構成であって、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている（図９参照）。
【００４６】
極細同軸ケーブルアセンブリ２１は、一端側に、第１端末構造（極細同軸ケーブルアセンブリにおける端末構造）４１を備えている。
【００４７】
即ち、多数本の極細同軸ケーブル３９の一端側には、第１フレキシブル回路基板４３が連結されており、第１フレキシブル回路基板４３の両側面には、極細同軸ケーブル３９と同数の第１接続パターン４５を有している。そして、第１フレキシブル回路基板４３は、多数本の第１接続パターン４５の基端部４５ａが対応関係にある極細同軸ケーブル３９の一端部にそれぞれ電気的に接続するように構成されている。また、第１フレキシブル回路基板４３は、多数本の第１接続パターン４５における先端部４５ｂのピッチが基端部４５ａのピッチよりも小さくなるように構成されている。
【００４８】
第１フレキシブル回路基板４３の表面には、第１基板２５における第１相手コネクタ３５に嵌合可能なフレキシブル回路基板専用の第１コネクタ４７が実装されており、第１コネクタ４７は、極細同軸ケーブル３９と同数の第１パターン側端子４９及び第１相手コネクタ側端子５１を有している。そして、第１コネクタ４７は、多数本の第１パターン側端子４９が対応関係にある第１接続パターン４５の先端部４５ｂに電気的に接続するように構成されている。なお、フレキシブル回路基板専用の第１コネクタ４７の代わりに、第１フレキシブル回路基板４３の一部に形成された第１嵌合部も用いてもよい。
【００４９】
同様に、極細同軸ケーブルアセンブリ２１は、他端側に、第２端末構造（極細同軸ケーブルアセンブリにおける端末構造）５３を備えている。
【００５０】
即ち、多数本の極細同軸ケーブル３９の他端側には、第２フレキシブル回路基板５５が連結されており、第２フレキシブル回路基板５５の両側面には、極細同軸ケーブル３９と同数の第２接続パターン５７を有している。そして、第２フレキシブル回路基板５５は、多数本の第２接続パターン５７の基端部５７ａが対応関係にある極細同軸ケーブル３９の一端部にそれぞれ電気的に接続するように構成されている。また、第２フレキシブル回路基板５５は、多数本の第２接続パターン５７における先端部５７ｂのピッチが基端部５７ａのピッチよりも小さくなるように構成されている。
【００５１】
第２フレキシブル回路基板５５の表面には、第２基板２７における第２相手コネクタ３７に嵌合可能なフレキシブル回路基板専用の第２コネクタ５９が実装されており、第２コネクタ５９は、極細同軸ケーブル３９と同数の第２パターン側端子６１及び第２相手コネクタ側端子６３を有している。そして、第２コネクタ５９は、多数本の第２パターン側端子６１が対応関係にある第２接続パターン５７の先端部５７ｂに電気的に接続するように構成されている。なお、フレキシブル回路基板専用の第２コネクタ５９の代わりに、第２フレキシブル回路基板５５の一部に形成された第２嵌合部も用いてもよい。
【００５２】
次に、第１の最良の形態の作用について説明する。
【００５３】
第１コネクタ４７は、多数本の第１パターン側端子４９が対応関係にある第１接続パターン４５の先端部４５ｂに電気的に接続するように構成されてあって、第１フレキシブル回路基板４３は、多数本の第１接続パターン４５における先端部４５ｂのピッチが基端部４５ａのピッチよりも小さくなるように構成されているため、極細同軸ケーブルアセンブリ２１における極細同軸ケーブル３９の本数が増えても、第１コネクタ４７における第１パターン側端子４９のピッチ（接続ピッチ）を小さくして、第１コネクタ４７の幅の拡大を十分に抑えることができる。
【００５４】
また、第１フレキシブル回路基板４３の両面側には極細同軸ケーブル３９と同数の第１接続パターン４５を有しているため、極細同軸ケーブルアセンブリ２１における極細同軸ケーブル３９の本数が増えても、第１フレキシブル回路基板４３の幅を小さくすることができる。
【００５５】
同様に、第２コネクタ５９は、多数本の第２パターン側端子６１が対応関係にある第２接続パターン５７の先端部５７ｂに電気的に接続するように構成されてあって、第２フレキシブル回路基板５５は、多数本の第２接続パターン５７における先端部５７ｂのピッチが基端部５７ａのピッチよりも小さくなるように構成されているため、極細同軸ケーブルアセンブリ２１における極細同軸ケーブル３９の本数が増えても、第２コネクタ５９における第２パターン側端子６１のピッチ（接続ピッチ）を小さくして、第２コネクタ５９の幅の拡大を十分に抑えることができる。
【００５６】
また、第２フレキシブル回路基板５５の両面側には極細同軸ケーブル３９と同数の第２接続パターン５７を有しているため、極細同軸ケーブルアセンブリ２１における極細同軸ケーブル３９の本数が増えても、第２フレキシブル回路基板５５の幅を小さくすることができる。
【００５７】
以上の如き、第１の最良の形態によれば、極細同軸ケーブルアセンブリ２１における極細同軸ケーブル３９の本数が増えても、第１コネクタ４７及び第２コネクタ５９における接続ピッチを小さくして、第１コネクタ４７及び第２コネクタ５９の幅の拡大を十分に抑えることができるため、第１コネクタ４７及び第２コネクタ５９の搭載面積を小さくして、携帯電話２３の小型化を促進することができる。
【００５８】
また、極細同軸ケーブルアセンブリ２１における極細同軸ケーブル３９の本数が増えても、第１フレキシブル回路基板４３及び第２フレキシブル回路基板５５の幅を小さくすることができるため、携帯電話２３の狭いスペースを利用して、極細同軸ケーブルアセンブリ２１を搭載することができる
【００５９】
（第２の最良の形態）
第２の最良の形態について図４から図７を参照して説明する。
【００６０】
ここで、図４は、前述のように、最良の形態に係わる携帯電話を示す斜視図であって、図５は、第２の最良の形態に係わる極細同軸ケーブルアセンブリを示す図であって、図６は、第２の最良の形態に係わる第１端末構造を示す図であって、図７は、第２の最良の形態に係わる第２端末構造を示す図である。
【００６１】
図４及び図５に示すように、第２の最良の形態に係わる極細同軸ケーブルアセンブリ６５は、第１の最良の形態に係わる極細同軸ケーブルアセンブリ２１と同様に、携帯電話２３における第１電子部品としての第１基板２５と第２電子部品としての第２基板２７を電気的に接続するために用いられるケーブルアセンブリである。
【００６２】
極細同軸ケーブルアセンブリ６５は、多数本の極細同軸ケーブル６７を集合してなり、極細同軸ケーブル６７は、前述の極細同軸ケーブル３（図９参照）と同様の構成であって、中心導体５と、この中心導体５を覆う絶縁層７と、この絶縁層７の外周部に設けられかつ中心導体５をシールドする横巻き外部導体９と、この横巻き外部導体９の回りを覆うシース１１とを備えている（図９参照）。
【００６３】
極細同軸ケーブルアセンブリ６５は、一端側に、第１端末構造（極細同軸ケーブルアセンブリにおける端末構造）６９を備えている。
【００６４】
即ち、多数本の極細同軸ケーブル６７の一端側には、第１フレキシブル回路基板７１が連結されており、第１フレキシブル回路基板７１の両側面には、極細同軸ケーブル６７と同数の第１接続パターン７３（表側の第１接続パターン７３と裏側の第１接続パターン７３’）を有している。そして、第１フレキシブル回路基板７１は、多数本の表側の第１接続パターン７３の基端部７３ａが対応関係にある極細同軸ケーブル６７の一端部にそれぞれ電気的に接続すると共に、多数本の裏側の第１接続パターン７３’の基端部７３’ａがスルーホールを介して対応関係にある極細同軸ケーブル６７の一端部にそれぞれ電気的に接続するように構成されている。また、第１フレキシブル回路基板７１は、多数本の表側の第１接続パターン７３の基端部７３ａと多数本の裏側の第１接続パターン７３’の基端部７３’ａとが複数列に並ぶように構成されている。
【００６５】
第１フレキシブル回路基板７１の表面には、第１基板２５における第１相手コネクタ３５に嵌合可能なフレキシブル回路基板専用の第１コネクタ７５が実装されており、第１コネクタ７５は、極細同軸ケーブル６７と同数の第１パターン側端子７７及び第１相手コネクタ側端子７９を有している。そして、第１コネクタ７５は、図６における右寄りの多数本の第１パターン側端子７７が対応関係にある表側の第１接続パターン７３の先端部７３ｂに電気的に接続すると共に、図６における左寄りの多数本の第１パターン側端子７７がスルーホールを介して対応関係にある裏側の第１接続パターン７３’の先端部７３’ｂに電気的に接続するように構成されている。なお、フレキシブル回路基板専用の第１コネクタ７５の代わりに、第１フレキシブル回路基板７１の一部に形成された第１嵌合部も用いてもよい。
【００６６】
同様に、極細同軸ケーブルアセンブリ６５は、他端側に、第２端末構造（極細同軸ケーブルアセンブリにおける端末構造）８１を備えている。
【００６７】
即ち、多数本の極細同軸ケーブル６７の一端側には、第２フレキシブル回路基板８３が連結されており、第２フレキシブル回路基板８３の両側面には、極細同軸ケーブル６７と同数の第２接続パターン８５（表側の第２接続パターン８５と裏側の第２接続パターン８５’）を有している。そして、第２フレキシブル回路基板８３は、多数本の表側の第２接続パターン８５の基端部８５ａが対応関係にある極細同軸ケーブル６７の一端部にそれぞれ電気的に接続すると共に、多数本の裏側の第２接続パターン８５’の基端部８５’ａがスルーホールを介して対応関係にある極細同軸ケーブル６７の一端部にそれぞれ電気的に接続するように構成されている。また、第２フレキシブル回路基板８３は、多数本の表側の第２接続パターン８５の基端部８５ａと多数本の裏側の第２接続パターン８５’の基端部８５’ａが複数列に並ぶように構成されている。
【００６８】
第２フレキシブル回路基板８３の表面には、第１基板２５における第１相手コネクタ３５に嵌合可能なフレキシブル回路基板専用の第２コネクタ８７が実装されており、第２コネクタ８７は、極細同軸ケーブル６７と同数の第２パターン側端子８９及び第２相手コネクタ側端子９１を有している。そして、第２コネクタ８７は、図７における左寄りの多数本の第２パターン側端子８９が対応関係にある表側の第２接続パターン８５の先端部８５ｂに電気的に接続すると共に、図７における右寄りの多数本の第２パターン側端子８９が対応関係にある裏側の第２接続パターン８５’の先端部８５’ｂに電気的に接続するように構成されている。なお、フレキシブル回路基板専用の第２コネクタ８７の代わりに、第２フレキシブル回路基板８３の一部に形成された第２嵌合部も用いてもよい。
【００６９】
次に、第２の最良の形態の作用について説明する。
【００７０】
第１コネクタ７５は、多数本の第１パターン側端子７７が対応関係にある第１接続パターン７３（７３’）の先端部７３ｂ（７３’ｂ）に電気的に接続するように構成されてあって、第１フレキシブル回路基板７１は、多数本の表側の第１接続パターン７３の基端部７３ａと多数本の裏側の第１接続パターン７３’の基端部７３’ａとが複数列に並ぶように構成されているため、極細同軸ケーブルアセンブリ６５における極細同軸ケーブル６７の本数が増えても、第１コネクタ７５の幅の拡大を十分に抑えることができると共に、第１フレキシブル回路基板７１の幅を小さくすることができる。特に、第１フレキシブル回路基板７１の両面側には極細同軸ケーブル６７と同数の第１接続パターン７３（７３’）を有しているため、極細同軸ケーブルアセンブリ６５における極細同軸ケーブル６７の本数が増えても、第１フレキシブル回路基板７１の幅をより小さくすることができる。
【００７１】
同様に、第２コネクタ８７は、多数本の第２パターン側端子８９が対応関係にある第２接続パターン８５（８５’）の先端部８５ｂ（８５’ｂ）に電気的に接続するように構成されてあって、第２フレキシブル回路基板８３は、多数本の表側の第２接続パターン８５の基端部８５ａと多数本の裏側の第２接続パターン８５’の基端部８５’ａが複数列に並ぶように構成されているため、極細同軸ケーブルアセンブリ６５における極細同軸ケーブル６７の本数が増えても、第２コネクタ８７の幅の拡大を十分に抑えることができると共に、第２フレキシブル回路基板８３の幅を小さくすることができる。特に、第２フレキシブル回路基板８３の両面側には極細同軸ケーブル６７と同数の第２接続パターン８５（８５’）を有しているため、極細同軸ケーブルアセンブリ６５における極細同軸ケーブル６７の本数が増えても、第２フレキシブル回路基板８３の幅をより小さくすることができる。
【００７２】
以上の如き、第２の最良の形態によれば、極細同軸ケーブルアセンブリ６５における極細同軸ケーブル６７の本数が増えても、第１コネクタ７５及び第２コネクタ８７の幅の拡大を十分に抑えることができるため、第１コネクタ７５及び第２コネクタ８７の搭載面積を小さくして、携帯電話２３の小型化を促進することができる。
【００７３】
また、極細同軸ケーブルアセンブリ６５における極細同軸ケーブル６７の本数が増えても、第１フレキシブル回路基板７１及び第２フレキシブル回路基板８３の幅をより小さくすることができるため、携帯電話２３の狭いスペースを利用して、極細同軸ケーブルアセンブリ６５を搭載することができる。
【００７４】
なお、本発明は、前述の発明の最良の形態の説明に限るものではなく、適宜の変更を行うことにより、その他種々の態様で実施可能である。
【図面の簡単な説明】
【００７５】
【図１】第１の最良の形態に係わる極細同軸ケーブルアセンブリを示す図である。
【図２】第１の最良の形態に係わる第１端末構造を示す図である。
【図３】第１の最良の形態に係わる第２端末構造を示す図である。
【図４】最良の形態に係わる携帯電話を示す斜視図である。
【図５】第２の最良の形態に係わる極細同軸ケーブルアセンブリを示す図である。
【図６】第２の最良の形態に係わる第１端末構造を示す図である。
【図７】第２の最良の形態に係わる第２端末構造を示す図である。
【図８】一般的な極細同軸ケーブルを示す図である。
【図９】極細同軸ケーブルの断面図である。
【符号の説明】
【００７６】
２１        極細同軸ケーブルアセンブリ
２３        携帯電話
２５        第１基板
２７        第２基板
３５        第１相手コネクタ
３７        第２相手コネクタ
３９        極細同軸ケーブル
４３        第１フレキシブル回路基板
４５        第１接続パターン
４７        第１コネクタ
４９        第１パターン側端子
５５        第２フレキシブル回路基板
５７        第２接続パターン
５９        第２コネクタ
６１        第２パターン側端子
６５        極細同軸ケーブルアセンブリ
６７        極細同軸ケーブル
７１        第１フレキシブル回路基板
７３        第１接続パターン
７５        第１コネクタ
７７        第１パターン側端子
８３        第２フレキシブル回路基板
８５        第２接続パターン
８７        第２コネクタ
８９        第２パターン側端子
【図１】
2005267968.tif 000003
【図２】
2005267968.tif 000004
【図３】
2005267968.tif 000005
【図４】
2005267968.tif 000006
【図５】
2005267968.tif 000007
【図６】
2005267968.tif 000008
【図７】
2005267968.tif 000009
【図８】
2005267968.tif 000010
【図９】
2005267968.tif 000011